(57)【要約】      （修正有）【課題】デザイン性に優れ、使い勝手の良い定規を提供する。【解決手段】定規１における定規本体２は四面体に形成されており、その定規本体２は二等辺三角形に形成された第１の面部３と、それぞれが対称形状の直角三角形に形成された第２の面部４と第３の面部５と、正三角形に形成された第４の面部６の四面により構成している。定規本体２を構成している各面同士の関係については、正三角形の第４の面部６を定規本体２の底辺とした場合、第４の面部６におけるそれぞれの辺７、８、９に対しその他の三つの面部３、４、５を配置している。前記定規本体２における各面部３、４、５、６のそれぞれ三辺には目盛19、20、21、23、24が付されている。【選択図】図１
0003114254.tif 000002
【実用新案登録請求の範囲】
【請求項１】
定規本体が三角錐又は裁頭な三角錐であると共に、前記定規本体の辺に沿って長さ目盛を設けたことを特徴とする定規。
【請求項２】
前記定規本体における４つの面に対し、少なくとも直角三角形状面部と正三角形状面部を有することを特徴とする請求項１に記載の定規。
【請求項３】
前記定規本体における４つの面において、相接する２つの面は互いに相接する辺に対し線対称な形状をした直角三角形状面部を有することを特徴とする請求項１又は請求項２に記載の定規。
【請求項４】
前記定規本体における底面の形状を正三角形とすることを特徴とする請求項１〜３のいずれか１項に記載の定規。
【考案の詳細な説明】
【技術分野】
【０００１】
本考案は、デザイン性に優れ、使い勝手の良い定規に関するものである。
【背景技術】
【０００２】
従来の定規は板体から形成したのものが一般的であり、その他に三角スケールといった三角柱状に形成され側面の辺に沿って長さ目盛が付されたものがある。これらの定規は正確な線を描いたり、長さの計測にとても便利な為、机の上に置かれている。しかしながら、板体状の定規や三角スケールといった従来の定規では、線を引いたり、ものの長さを計測する機能を有するには都合が良いものの、机の上に置かれていては机の上の美観を損う虞があった。また縮尺用目盛を使用して作業する場合に通常の板体や三角柱状では目盛を付す箇所が限られており、複数個の定規を容易する必要があった。そこで、定規を立体形状にし、辺に沿って目盛を設けたことにより複数の目盛を有し、多種多様な筆記又は計測作業を可能とした定規がある（例えば、特許文献１）。
【特許文献１】実開昭６０−１９１４９２号公報
【考案の開示】
【考案が解決しようとする課題】
【０００３】
しかしながら、上述の特許文献１の定規では、定規を一つにまとめることで机の上の美観を損なうことは免れたが、机の上における美観の向上については更なる工夫が望まれていた。そこで、本考案の定規は上記の問題に対して、机上に置かれた状態でも、机上における美観を向上させるようなデザイン性に優れ、さらに使い勝手の良い定規を提供することである。
【課題を解決するための手段】
【０００４】
請求項１の考案は、定規本体が三角錐又は裁頭な三角錐であると共に、前記定規本体の辺に沿って長さ目盛を設けたことである。
【０００５】
請求項２の考案は、前記定規本体における４つの面に対し、少なくとも直角三角形状面部と正三角形状面部を有することである。
【０００６】
請求項３の考案は、前記定規本体における４つの面において、相接する２つの面は互いに相接する辺に対し線対称な形状をした直角三角形状面部を有することである。
【０００７】
請求項４の考案は、前記定規本体における底面の形状を正三角形とすることである。
【考案の効果】
【０００８】
請求項１の考案によれば、定規本体の辺に目盛を付すことにより一つの定規本体に少なくとも６つの定規の機能を有することができる。
【０００９】
請求項２の考案によれば、定規本体に直角三角形と正三角形の定規としての機能を付加する事ができ、また定規本体の外観のデザイン性も向上することができる。
【００１０】
請求項３の考案によれば、定規本体をバランスの良いデザインにすることができる。
【００１１】
請求項４の考案によれば、定規本体の安定性を向上することができる。
【考案を実施するための最良の形態】
【００１２】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１３】
図１〜図２は実施例１を示しており、定規１における定規本体２は四面体から形成されており、その四面体は二等辺三角形に形成された第１の面部３と、それぞれが対称形状の直角三角形に形成された第２の面部４と第３の面部５と、正三角形に形成された第４の面部６の四面により構成している。
【００１４】
前記定規本体２を構成している各面部３、４、５、６同士の関係については、正三角形の第４の面部６を四面体２の底辺とした場合、第４の面部６におけるそれぞれの辺７、８、９に対しその他の三つの面部３、４、５を配置していくが、二等辺三角形に形成された第１の面部３は二等辺三角形を構成している二つの等辺10、11とその他の辺12から構成されており、第４の面部６の辺７とはその他の辺12と接している。
【００１５】
次に直角三角形に形成された第２の面部４については直角三角形の直角Ａを形成している二辺のうちの短辺13が第４の面部６の辺８と接しており、長辺14は後述する第３の面部５と接している。三辺のうちの直角Ａに対向した辺15と第１の面部３における二つの等辺における一辺10と接している。
【００１６】
そして直角三角形に形成された第３の面部５については三角形の直角Ｂを形成している二辺のうちの長辺16が前述した第２の面部４の長辺14と接しており、もう一方の短辺17は第４の面部６の辺９と接している。三辺のうちの直角Ｂと対向した辺18は第１の面部３における二つの等辺における一辺11と接している。
【００１７】
前記定規本体２における各面部３、４、５、６のそれぞれの三辺には目盛が付されており、第１の面部３の各辺10、11、12には目盛19、20、21が第２の面部４の各辺13、14、15には目盛22、23、24が、第３の面部の各辺16、17、18には目盛25、26、27が、そして第４の面部６の各辺７、８、９には目盛28、29、30が付されている。前記目盛の様式としてはメートル単位系、インチ単位系、尺等のどれに対応した目盛でも構わないこととし、その他にも上述の目盛に対応した1/50、1/100、1/200、1/300、1/400、1/500、1/600等の縮尺目盛を付しても構わないこととする。
【００１８】
上記の構成についての作用を述べると、四面体からなる定規本体２は正三角形に形成された第４の面部６を底面として机の上に置かれているが、定規として又一定の角度を有した三角定規として使用する場合には所望の目盛又は角を書類等の作業面に当てて使用する。
【００１９】
さらに、定規１は書類等を机に押さえ付けるペーパーウエイト（文鎮）としての使用も可能である。
【００２０】
以上のように、前記実施例では請求項１に対応して定規本体２が三角錐又は裁頭な三角錐であり、定規本体の辺に目盛を付すことにより一つの定規本体２に少なくとも６つの定規の機能を有することができる。
【００２１】
また、前記実施例では請求項２に対応して前記定規本体２における三角錐の４つの面に対し、少なくとも直角三角形状面部４、５と正三角形状面部６を有することにより、定規本体２に直角三角形と正三角形の定規としての機能を付加する事ができ、また定規本体２の外観のデザイン性も向上することができる。
【００２２】
さらに前記実施例では請求項３に対応して前記定規本体２における三角錐の４つの面において、相接する２つの面は互いに相接する辺に対し対称な形状をした直角三角形状面部４、５を有することにより、定規本体２をバランスの良いデザインにすることができる。
【００２３】
また、前記実施例では請求項４に対応して、前記定規本体２における三角錐の底面の形状を正三角形とすることにより、定規本体２の安定性を向上することができる。
【実施例２】
【００２４】
図３は実施例２を示しており、前記実施例１と同一部分には同一符号を付し、その詳細な説明を省略する。定規１にける定規本体２は四面体から形成されており、その定規本体２は二等辺三角形に形成された第１の面部３と、それぞれが対称形状の直角三角形に形成された第２の面部４と第３の面部５と、正三角形に形成された第４の面部６の四面により構成している。
【００２５】
前記定規本体２の四面体における各頂点部31、32、33、34は裁頭角状となっている。
【００２６】
上記の構成により定規本体２の各頂点部31、32、33、34が裁頭角状となっていることにより定規本体の各頂点部31、32、33、34に対する引っかかりが少なくなる。
【００２７】
これにより、定規本体２の各頂点部31、32、33、34が裁頭角状になっていることにより、定規本体２の各頂点部31、32、33、34が関わるような不良の事故の危険性を軽減することができる。
【実施例３】
【００２８】
図４〜図５は実施例３を示しており、前記実施例１と同一部分には同一符号を付し、その詳細な説明を省略する。定規本体２の材質は透明なものとし、定規本体２の内部に空間35を設けるように作成されている。
【００２９】
それにより定規内部の空間35に樹木のミニチュアや人形等の装飾物36を配置することが可能となる。
【００３０】
定規１内部の空間35に装飾物36を配置することにより定規１自体の装飾性を高めることにより、定規１は机の上の美観を向上させるのに有効な手段となる。
【産業上の利用可能性】
【００３１】
以上のように本考案にかかる定規は種々の用途に適用できる。また、三角錐状の定規本体は、安全上、先鋭部分を例えば長さ方向で１０ｍｍ以内にカットしたものも本考案における三角錐状の定規本体に含まれる。
【図面の簡単な説明】
【００３２】
【図１】本考案の実施例１における定規を示す斜視図である。
【図２】図２（Ａ）〜（Ｄ）は本考案の実施例１における前記定規を構成している四面体におけるそれぞれの面部を示した平面図であり、図２（Ａ）は第１の面部を示した平面図であり、図２（Ｂ）は第２の面部を示した平面図であり、図２（Ｃ）は第３の面部を示した平面図であり、図２（Ｄ）は第４の面部を示した平面図である。
【図３】本考案の実施例２における定規を示す斜視図である。
【図４】本考案の実施例３における定規を示す斜視図である。
【図５】本考案の実施例３における前記定規における内部の空間を示した断面図である。
【符号の説明】
【００３３】
１  定規
２  定規本体（四面体）
３  第１の面部（二等辺三角形状面部）
４  第２の面部（直角三角形状面部）
５  第３の面部（直角三角形状面部）
６  第４の面部（正三角形状面部）
19、20、21、22、23、24、25、26、27、28、29、30  目盛
31、32、33、34  頂点部
【図１】
0003114254.tif 000003
【図２】
0003114254.tif 000004
【図３】
0003114254.tif 000005
【図４】
0003114254.tif 000006
【図５】
0003114254.tif 000007